(57)【要約】      （修正有）【課題】製造工場からの商品を一括管理する物流センターにおいて、顧客への配送時に追加すべき伝票、明細書、請求書、案内書などの書類を効率よく添付することができ、一旦箱内へ商品を封函した後であっても、再度開梱しなくても箱内へ確実に保管することができる梱包箱を提供する。【解決手段】四方を囲繞する壁面２，３と、壁面の端縁から延設されたフラップを備え、対向する内側用フラップ４を折り曲げ、隣接する外側用フラップ５を折り曲げて封函する梱包箱１において、前記梱包箱１の六面の壁面のうちの少なくとも一面に、片開き式に回動開閉する狭幅の扉１０が設けられていることを特徴とする。本梱包箱は、前記のように扉部分を有するので、顧客への配送時に追加すべき伝票、明細書、請求書、案内書などの書類があった場合でも、工場出荷時の封函された状態のままで、追加書類などを添付することができる。【選択図】図１
0003148522.tif 000002
【実用新案登録請求の範囲】
【請求項１】
四方を囲繞する壁面と、壁面の端縁から延設されたフラップを備え、対向する内側用フラップを折り曲げ、隣接する外側用フラップを折り曲げて封函する梱包箱において、
前記梱包箱の六面の壁面のうちの少なくとも一面に、片開き式に回動開閉する狭幅の扉が設けられていることを特徴とする梱包箱。
【請求項２】
前記扉と壁面との連結部が、箱の稜線に形成されていることを特徴とする請求項１に記載の梱包箱。
【請求項３】
前記扉または、扉と壁面との境界領域に、指挿入用の穴が設けられていることを特徴とする請求項１または２のいずれかに記載の梱包箱。
【請求項４】
前記扉が矩形または台形であり、扉の長手方向が箱の稜線に平行に形成され、扉の長さが対応する稜線の長さの１／２〜１９／２０であり、扉の幅が１０〜１００ｍｍの範囲であることを特徴とする請求項１乃至３の何れかに記載の梱包箱。
【請求項５】
前記扉が梱包箱の天面に設けられていることを特徴とする請求項１乃至４の何れかに記載の梱包箱。
【請求項６】
前記扉の内側に位置する前記内側用フラップに、前記扉の開口面積以下の切りかき部が設けられていることを特徴とする請求項１乃至５の何れかに記載の梱包箱。
【考案の詳細な説明】
【技術分野】
【０００１】
本考案は、梱包箱の一部に開閉可能な挿入口を設け、箱内へ商品を封函した後であっても、送り状、伝票、明細書、請求書などの各種書類を挿入することができるようにした梱包箱に関する。
【背景技術】
【０００２】
従来、各種物品の製造メーカーは、商品を製造後、各商品毎にあるいは複数の商品をまとめて一つの梱包箱に収納して、流通段階に置いている。そして近年の物流では、工場内で生産された商品は前記のように梱包箱等に収納されたのち、一旦特定の物流センターなどに保管され、受注を受けた商品から出荷されるようになっている。これは製造現場毎に在庫品を置くスペースを確保するよりも、都市部近郊の物流センターにて一括管理して、効率の良い輸送を行う方がコスト面、在庫管理の点などで優れているからである。
【０００３】
そのような場合に、商品の行先を明示するために梱包箱にシール等が貼付される。関連する技術としては、粘着ラベル等の識別票の剥離時において梱包箱の表面が損傷せず、繰り返し使用可能な梱包箱を提供することにより、従来の単回使用により廃棄されていた箱を再利用可能にするもの（特許文献１）がある。この例では剥離領域を、アクリル樹脂などにより形成することで貼付・剥離を容易に行うものであるが、単に行先を明示するだけでなく、封函された梱包箱を一旦開封して、伝票、明細書、請求書、案内書など、ある程度厚みのある書類を収納することが必要になる場合がある。
【０００４】
前記開封の手間を省くために包装袋の表面にポケット部を設けて、ここに必要書類を入れ、包装袋を接着する方法（特許文献２）もある。この方法によればある程度の書類を収納できるが、袋を箱に接着するものなので、書類の量、大きさにも限界があり、流通段階で確実に袋を保持できるかについては課題を有するものであった。
【０００５】
また、箱内に予め所定の伝票類の保持部を形成したもの（特許文献３）がある。この紙箱は、箱内に収納した納品書や請求書等の散逸を防止するとともに、箱の身の内容積を減少させることが無いように、伝票類の保持部を形成したものである。ただし、物流センターなどでの伝票類の収納の際には、箱を開封することが必要であり、前記開封の手間を省くことを考慮したものではない。
【０００６】
封函された梱包箱について、一旦閉じた蓋を簡単かつ確実に開封して開梱することが可能で、その後も再び蓋片同士の先端を当接させて蓋を封止可能な包装容器に関するもの（特許文献４）がある。この包装容器は、開封を容易にするものであり、従来品に比較すれば迅速な作業が可能であるが、やはり開梱を前提にしている点で改良の余地を残すものである。
【０００７】
この点、梱包箱に入れる添付品の収納作業を簡単にし、かつコストを安くする方法についての提案（特許文献５）によれば、梱包箱の天面に間隔をあけて向き合う形の一対の舌片部を形成する切り込み線などと、舌片部の内側領域に位置する添付品端部係合用の穴とを設けることによって、ケーブル等の添付品を単に押し込めば良いという特徴を有する。従って、収納作業が極めて簡略され、作業能率が向上するという優れた効果を有するものである。ただ、残念なことは、この収納部が伝票、明細書、請求書、案内書などの書類を対象としたものではないということである。
【０００８】
【特許文献１】登録実用新案公報第３０２４７９４号公報
【特許文献２】実開平６−３７１４８号公報
【特許文献３】特開平１１−９１７６２号公報
【特許文献４】特開２０００−２３８７５６号公報
【特許文献５】特開平１０−２５０７２２号公報
【考案の開示】
【考案が解決しようとする課題】
【０００９】
本考案が解決しようとする課題は、特に製造工場からの商品を一括管理する物流センターにおいて、顧客への配送時に追加すべき伝票、明細書、請求書、案内書などの書類を効率よく添付することができる梱包箱を提供することである。
【００１０】
さらには、一旦箱内へ商品を封函した後であっても、再度開梱しなくても箱内へ確実に保管することができる梱包箱に関するものでもある。
【課題を解決するための手段】
【００１１】
本考案にあっては上記課題を解決するために、四方を囲繞する壁面と、壁面の端縁から延設されたフラップを備え、対向する内側用フラップを折り曲げ、隣接する外側用フラップを折り曲げて封函する梱包箱において、前記梱包箱の六面の壁面のうちの少なくとも一面に、片開き式に回動開閉する狭幅の扉が設けられていることを特徴とする。
【００１２】
この扉を通して、顧客への配送時に追加すべき伝票、明細書、請求書、案内書などの書類を効率よく、かつ、封函された梱包箱を一々開梱しなくても箱内へ確実に保管することができる。この扉を開いた開口部の幅は狭いために商品を出し入れすることはできないが、適当な厚さまでの書類であれば十分に挿入することができ、しかも必要書類の収納後には扉部を行先明示のシールなどで閉じれば良い。これによって、従来の梱包箱と同様の取り扱いができ、追加書類の脱落や第三者の不正な改ざんなどを防止することができる。
【００１３】
前記扉部分を形成する好適な場所として、前記扉と壁面との連結部が、箱の稜線に形成されていることが好ましい。扉部分は書類などの挿入時に折り曲げられるので、そのような折り曲げ線が箱の平面に形成されるよりも見栄えを良くすることができるからである。
【００１４】
また、前記扉或いは、扉と壁面との境界領域に、指挿入用の穴が設けられていることが望ましい。最初に扉を回動開閉する際には、扉部分が梱包箱の壁面と一体化しているので、開口し難いからである。
【００１５】
さらに、前記扉が矩形または台形であり、扉の長手方向が箱の稜線に平行に形成され、扉の長さが対応する稜線の長さの１／２〜１９／２０であり、扉の幅が１０〜１００ｍｍの範囲であることが好ましい。扉の長さは挿入される書類の大きさによるので一概に決定することはできないが、通常Ａ４またはＢ５サイズであるため、これらの書類が挿入可能であれば良い。書類を適当な大きさに折り畳めば、扉の長さは短くても良い。また一般に後で添付する資料はそれほどの厚みを持つことはないため、扉の幅は前記範囲であれば良い。
【００１６】
本考案の好適な例としては、前記扉が梱包箱の天面に設けられていることを特徴とする。前記書類などの挿入が最も容易に行えるからである。なお、側面に設けても挿入の容易性については差がないが、梱包箱を持ち上げる等の取り扱い時に当該箇所に接触しやすく、その際に不用意に扉部分が開放されるおそれがある。また、底面に設けたのでは、書類などの挿入に際して箱をひっくり返さなければならなくなり、作業性が悪いからである。
【００１７】
そして、前記扉の内側に、内側用フラップが存在する場合には、前記扉の開口面積以下の切りかき部が当該内側用フラップに設けられていることが好ましい。書類などを箱内に完全に収納する場合には、障害物がない方が作業性が良いからである。
【考案の効果】
【００１８】
本考案の梱包箱は、前記のように扉部分を有するので、顧客への配送時に追加すべき伝票、明細書、請求書、案内書などの書類があった場合でも、工場出荷時の封函された状態のままで、追加書類などを添付することができる。これにより梱包作業と発送作業を別々の場所（例えば工場と物流センターなど）で行う場合に、特に作業性の向上と、確実な収納及びその保持をすることができる。また、従来の梱包箱と同様の取り扱いができ、梱包箱の壁面により追加書類を確実に保護しているので、その脱落や第三者の不正な改ざんなどを有効に防止することができる。
【考案を実施するための最良の形態】
【００１９】
以下、本考案について図面を参照しながら説明する。
（実施形態１）
図１に、本考案に係る梱包箱１の一例を概略図として示す。図には四方を囲繞する壁面２および３と、壁面の端縁から延設されたフラップを有し、対向する内側用フラップ４を折り曲げた状態で、隣接する外側用フラップ５を折り曲げて、その端部６を箱の内部に挿入して封函する梱包箱１が示されている。この例は、内側用フラップ４が２枚であるのに対して、外側用フラップ５は１枚の設計となっているが、後述するように本考案はこれに限定されるものではなく、外側用フラップが２枚であっても、内側用フラップが１枚であっても良い。また、外側用フラップが２枚の場合には、両フラップをつき合わせた部分をガムテープなどで貼り合わせることによって、前記端部６を無くすこともできる。要するにフラップを重ね合わせてしっかりとした箱が作れれば良いのである。
【００２０】
前記外側用フラップ５の端部６は、箱の内部に挿入されるが、その挿入をより行いやすくするために内側用フラップ４は壁面２の端縁２ａに沿って、欠損部７が形成されている。図示の通り、この欠損部７は扉の下面に位置して書類などを箱内に挿入するためのものではない。
【００２１】
この様な欠損部を、内側用フラップ４の扉の下面に位置する部位に設けることも可能である。これにより書類などが梱包箱内に完全に収納することができる。図１に示す例では、欠損部が無いことにより一、二枚程度の書類であれば内側用フラップ４と壁面との隙間から挿入可能であるが、挿入書類などが嵩張る場合には前記隙間からは入れることが困難となる。むしろこの実施形態が意図しているのは、追加書類などを、内側用フラップ４と外側用フラップ５との間に挿入することである。これにより、梱包箱を開く顧客が、工場出荷後に追加された書類などであるか否かの識別が容易になるだけでなく、例えば物流センターから量販店、卸問屋などを経由して最終顧客に至るまでに、前記書類などに検品印を順次付加して行く流通システムにおいても、有効に機能させることができる。従って、梱包箱内に完全に収納する場合には欠損部を形成し、追加書類などに対して複数回アクセスする場合には、この実施形態のように、内側用フラップの扉の下面に位置する部位に欠損部を敢えて形成しない方が良いのである。
【００２２】
壁面２の端縁２ａには外側用フラップ５を引き上げるための切欠溝８が形成されている。この切欠溝８を通して外側用フラップ５の先端部６を把持することができるので、梱包箱１の開閉をより簡単に行うことができる。切欠溝８の深さは先端部６の幅よりも浅く、また外側用フラップ５と壁面２とを粘着テープのようなもの（図示せず）で梱包箱１の稜線に沿って封する場合の該粘着テープの幅の１／２よりも狭いことが望ましい。この切欠溝が深すぎると、外環境と梱包箱内とが切欠溝により直接連通してしまい、埃などが混入するおそれがあるからである。従って、一般的にはこの深さは５〜３０ｍｍの範囲が好ましく、より好ましくは１０〜２０ｍｍである。
【００２３】
図１に示す外側用フラップ５を封すると、梱包箱のちょうど天面（外側用フラップ５）に、片開き式に回動開閉する狭幅の扉１０が形成される。この扉１０は天面との連結部が、箱の稜線にあって図３に示すように扉の回動開閉に際して該稜線を基軸とする。これにより箱の平面部分に連結部を形成するよりも、開閉時の折り目を目立たなくすることができる。また、外側用フラップを折り曲げて封函する際に稜線として予め折り目が付けられるので、最初に扉を開く際に折り目がランダムに形成されることを防止することができる。
【００２４】
扉１０の形状は長方形であり、長辺の長さ１０ａは稜線の１６．５／２０であるが、この長さに限定されることはなく、稜線の長さの１／２〜１９／２０の範囲であれば良い。また、箱全体が大きくなれば相対的に短く、箱全体が小さい場合には相対的に長く設定される。具体的には、図１に示す梱包箱１は、縦１４．５ｃｍ、横２３ｃｍ、高さ９．５ｃｍの大きさであるが、それに対して扉１０の長辺は１９ｃｍ（従って稜線の１６．５／２０）、短辺は５ｃｍに設定されている。扉１０からは、前記のように書類などが挿入されるので、その書類（一般的にはＢ５〜Ａ４サイズ）が挿入できるだけの長さが好ましいが、必ずしも書類などをそのままの形で挿入しないで折り畳めばよいため、扉の長手方向の長さは実情に合わせて適宜設定すればよい。その長さは１０〜３０ｃｍ、好ましくは１３〜２０ｃｍである。
【００２５】
一方、扉１０の幅１０ｂはこの実施形態では５０ｍｍに設定されている。幅については１０〜１００ｍｍ、より好ましくは３０〜６０ｍｍの範囲内である。前記範囲より狭すぎると、扉を把持する部分が少なくなるので開閉操作がし難くなり、前記範囲以上であっても後から追加する書類などは一般的には多くはないので、必要以上の幅となって却って梱包箱の強度を低下するおそれがあるからである。
【００２６】
上記の他、この実施形態には内側用フラップ４を折り曲げたときに係止片１２が二箇所に形成され、外側用フラップの係止溝１３に収容されるようになっている。また外側用フラップ５の端部６を折り曲げたときに突起１４が形成される。突起１４は外側用フラップの端部を箱内に挿入したときに、挿入しすぎることがないように、壁面の端縁２ａに引っ掛けて止めることができるようになっている。これらの係止片、係止溝、突起は箱を組み立てた後の形状保持性を向上させることを目的とするものであり、その形状、位置、大きさは本考案の目的に反しない限り、適宜設定することができる。
【００２７】
この梱包箱１の製造方法の一例としては、汎用の加工機によって、表紙および裏紙の間に波状の中芯を配置した段ボール紙を、図２の展開図に示す形状に裁断するところから始まる。展開状態では４つの壁面（２’、３’、２、３）が同一の高さで直線状に連続して設けられ、一端にのりしろ２０が設けられている。裁断された段ボール紙を、壁面３’と壁面２の間の折り目に沿って折り曲げ、のりしろ２０を壁面３の端と重ね合わせて、のりしろ部分を接着剤、ホットメルトなどにより貼着する。次に４つの壁面を矩形状をなすように広げ、対抗する下側のフラップ（２２’と２２、２３’と２３）を順次内向きに折り曲げて重ね合わせて、梱包箱の底面を形成する。下側のフラップの形状は図示されるものに限らず、例えば矩形の同形状のフラップを２組にすることも可能である。そして、箱内に製品を収納した後、内側用フラップ４を内向きに折り曲げ、最後に外側用フラップ５を折り曲げてその端部６が箱内に挿入されるようにして内側用フラップ４と重ね合わせる。
【００２８】
こうして組み立てられた梱包箱は、製造工場から一旦物流センターなどに送られ、出荷のときを待つことになる。顧客より注文があると、物流センターなどでは必要な情報を印刷した書類（顧客への配送時に追加すべき伝票、明細書、請求書、案内書などの書類）を図３に示すように扉１０を開いて梱包箱１に添付する。このとき工場出荷時の封函された状態のままで、外側用フラップ５を開く必要がないので、作業性が大いに向上するのである。このように梱包作業と発送作業を別々の場所（工場と物流センターなど）で行う場合には、特に、前記作業性の向上と、必要書類の確実な収納及びその保持をすることができる。また、従来の梱包箱と同様の取り扱いができ、梱包箱の壁面（図の例では外側用フラップ５）によって追加書類を確実に保護しているので、その脱落や第三者の不正な改ざんなどを有効に防止することができるのである。
【００２９】
（実施形態２）
図４に、本考案に係る梱包箱の他の例を斜視図として示す。図には四方を囲繞する壁面３２および３３と、各壁面の端縁から延設されたフラップを有し、対向する内側用フラップ３４を折り曲げた状態で、隣接する外側用フラップ３５を折り曲げて、両者をつき合わせた状態で粘着テープなどによって封函する梱包箱３０が示されている。この例では同形の内側用フラップおよび幅の多少異なる外側用フラップが各２枚づつ形成されているが、この様なフラップに限られるものでないことは前記の通りである。
【００３０】
この梱包箱の扉４０は実施形態１とは異なり、台形をしている。これは、扉を形成させるフラップの大きさなどによって、扉の裂開部がフラップの強度に与える影響を少しでも軽減する意味がある。すなわち、先に示した梱包箱１では外側用フラップが１枚であるために扉を比較的大きく形成する面積があるが、梱包箱３０の外側用フラップは２枚をつき合わせて箱の天面となすため、１枚の場合に比べて面積が小さくなり、扉の裂開部を大きくすると強度低下の影響が懸念されるからである。
【００３１】
この図４に示すように、台形にすることの利点は他に、台形の上底（短辺側）は扉の開閉に際して把持し得るだけの長さがあれば良いのに対して、台形の下底（長辺側）を追加書類などの挿入用に使用すれば、幅広の書類であっても十分に対応でき、フラップとの連結部（回動開閉する軸）が長いので扉自体が脱落することなく複数回の開閉にも充分耐えることができることである。前記連結部は、箱の稜線に形成されており、扉の開閉時に形成される折り目は外観上目立たないようにすることができる。
【００３２】
この例では扉と壁面との境界領域に、指挿入用の穴３８が設けられている。この穴３８は図に示すように打ち抜かれた状態であるが、ミシン目などの破断線でフラップ３５に残留していても良い。また、この穴の位置は丁度台形の上底部分に形成されているが、台形の左右の斜辺のいずれかの位置に形成されていても良く、穴の一部が扉部分に浸入して形成されていても良い。いずれにしても、このような穴が設けられていることで、特に扉を最初に引き上げる操作がし易くなる。なお、この穴の位置はフラップの長さ方向に対して中間位置からズレている。このようにすることで、内側用フラップのつき合せ部分を避けることができ、指を入れたときに内側用フラップの端部で切り傷を負うような危険を回避することができる。
【００３３】
図５には梱包箱３０の展開図が示されている。展開状態で４つの壁面（３２、３３、３２’、３３’）が同一の高さで直線状に連続して設けられ、一端にのりしろ５０が設けられている。また、箱の底面を形成する下側のフラップ（５２、５３、５２’、５３’）がそれぞれの壁面から延設されていることは図２と同様であり、組み立て方も先に示したものと同様であるので、ここでは詳述しない。特徴的なのは、図４では見えなかった扉４０の内側に位置する内側用フラップ３４に、前記扉４０の開口面積以下の切りかき部４５が設けられていることである。
【００３４】
この切りかき部４５は、扉４０を開けたときに内側用フラップを通過して箱の内部に連通するものであり、これによって、追加書類などを箱の内部にまで確実に挿入することができるものである。なお、追加書類を初めから添付されている取り扱い説明書などと明確に区別したい場合や、流通段階における検印などのために扉から随時取り出したいような場合には、例えばビニール袋などに追加書類を入れて、その端を扉の内側に貼付するなどにより、簡単に対応することもできる。
【００３５】
図６は、梱包箱３０が封函された状態（左図）および扉４０を開けた状態（右図）を示す。梱包箱３０の大きさは縦１３．３ｃｍ、横２０ｃｍ、高さ１８．４ｃｍであり、扉４０と壁面との連結部分４０ａは箱の稜線に形成されて１５ｃｍである。台形状の扉４０の上底（短辺）の長さは６ｃｍ、高さは３ｃｍに設計されている。また、扉が形成される側のフラップ３５の幅は７．３５ｃｍ、他方が５．９５ｃｍとなっている。そして、指挿入用の穴３８は上底側が３．５ｃｍで幅１．５ｃｍの略矩形状であり、扉４０との境界領域とは反対側の２つの隅は角が丸められて、指が挿入されたときにケガなどが無いように配慮されている。ところで、前記サイズは一例であり、このサイズに限定されるものでないことは、これまでに述べた通りである。
【００３６】
図６を見れば、扉４０を開ける（右図）と内側用フラップ３４に形成された切りかき部４５が現れ、ここから箱の内部に追加書類などを入れ得ることが容易に理解できよう。しかも、指挿入用の穴３８が、外側用フラップ３５の中心位置からズレて形成されているので、下側の内側用フラップの平面に指が接触するだけで、端部には直接接触せず安全性が高い。なお、指挿入用の穴を中心に設けても、内側用フラップのつき合わせ部位をズラすことによって同様の安全性を確保することができる。
【００３７】
（実施形態３）
図７に、本考案に係る梱包箱の他の例を斜視図として示す。図には四方を囲繞する壁面６２および６３と、各壁面の端縁から延設されたフラップを有し、対向する内側用フラップ６４を折り曲げた状態で、隣接する外側用フラップ６５を折り曲げて、両者をつき合わせた状態で粘着テープなどによって封函する梱包箱６０が示されている。この例では同形の内側用フラップおよび外側用フラップが各２枚づつ形成されている。また、内側用フラップ６４は両者が長めに設けられているため、折り曲げると相互にオーバーラップする関係にある。これによって各フラップにより形成される天面の補強効果が得られる。
【００３８】
この梱包箱６０の扉７０は、前記いずれの実施形態とも異なり、箱の天面ではなく壁面６２に形成されている点が特徴である。具体的な各寸法については後述するが、天面全体の面積が小さい場合には、各フラップの面積も小さいものとなる。そうすると、その小さな面積に更に扉のための裂開部を形成することによって天面の強度が低下したり、加工時や追加書類挿入時の作業性が悪くなることを防止する効果がある。また、側壁面に形成されていることによって、扉の形状をデザイン化して表現することもできる。
【００３９】
扉７０は、箱の天面の稜線に連結部を有し、そこから左右に拡がる方向に裂開し、さらに下進して一方の端に把持部６８を有する。扉全体では、矩形と台形を組み合わせたような形状であるが、前記のような矩形あるいは台形または五角形（ホームベース型）であっても良い。要するに追加書類などが挿入できるだけの幅が確保できれば良いのである。また連結部が天面の稜線に有るので、扉は下方向に向かって開くようになっているが、箱の底面の稜線に連結部を設けたり、壁面６２と６３の間の稜線に連結部を設けたり、壁面６２の平面部分に設けてもよい。本実施形態に示すように形成すると、輸送工程においてゴミ・埃などの侵入を効果的に防止することができる。扉部分が不用意に解放されても、扉の自重によって開口部を閉塞する方向に力が作用するからである。
【００４０】
前記把持部６８は扉の一方の端に形成されているが、これも中心部分、他方の端、左右の下進ラインに沿って形成することもできる。ただ、この実施形態に示すように、扉の開口部が把持部側から他端側に行くに従って幅が狭くなっているような場合には、開閉操作のし易さ、扉部分の強度面等から、（図７に示す通り）幅の広い側に把持部を形成する方が好ましい。また、開口部の幅を一定にするのではなく、この例のように変化させることにより、機能面では、追加書類などが挿入しやすくなり（書類の一端を開口部に引っかけることにより、あとは順次書類を送り出すように挿入すればよい）、強度面では、壁面が破れにくくなる（紙の繊維が並んでいる方向から外した裂開）などの効果が期待できる。
【００４１】
壁面６２に設けられた扉７０を開口した内側にはフラップが無いので、把持部から指を挿入しても不用意に切り傷などを負うようなことはない。把持部の形状について、図では半円形であるが、三角、四角などの多角形、或いは多角形の角を丸めた形状など、加工可能な形状であれば良い。また、実施形態２の指挿入用の穴のように打ち抜いたものであっても良い。いずれの形態であっても扉の開閉がし易いように設けられていれば良いのである。従って敢えて複雑な形状にすることなく、一般的な半円形、四角形などに形成すればよい。
【００４２】
図８には梱包箱６０の展開図が示されている。展開状態で４つの壁面（６２、６３、６２’、６３’）が同一の高さで直線状に連続して設けられ、一端にのりしろ８０が設けられている。また、箱の底面を形成する下側のフラップ（８２、８３、８２’、８３’）がそれぞれの壁面から延設されていること、組み立て方法についても前述と同様である。図８では内側用フラップ６４の一方の角が三角形に切り取られている。これは特別な意味を持つものではないが、内側用フラップが長めに形成されているので、両者のオーバーラップする箇所を持ち上げ易くするためである。
【００４３】
図９は、梱包箱６０が封函された状態（左図）および扉７０を開けた状態（右図）を示す。梱包箱６０の大きさは縦９ｃｍ、横２０ｃｍ、高さ１６．５ｃｍであり、扉７０と外側用フラップ６５との連結部分７０ａは箱の稜線に形成されて１５ｃｍである。扉７０の最大長さは１９ｃｍであり、把持部６８を含めた最大幅は８ｃｍ、他端の最小幅は１ｃｍである。
【００４４】
梱包箱６０の扉７０を開いて追加書類などを挿入する場合には、内側フラップと外側フラップの間に挟みこむ方法や、箱内の製品と壁面６２との間に挿入する方法などを選択できるので、例えば流通段階で異なる中間業者ごとに異なる位置に挿入するなどの決め事をしておき、識別性を向上させて作業効率を上げることも可能である。
【００４５】
以上、本考案の梱包箱について、具体的な例を上げて説明したように扉部分を通して追加書類などを挿入することができるので、梱包された箱の蓋をいちいち開封することなく、作業が容易に行えるのである。
【産業上の利用可能性】
【００４６】
本考案は、梱包状態を維持しつつ、流通段階で必要な書類などを容易に追加することができるので、特に製造工場からの商品を一括管理する物流センターにおいて、顧客への配送時に追加すべき伝票、明細書、請求書、案内書などの書類を効率よく添付することができる梱包箱を提供することができる。
【図面の簡単な説明】
【００４７】
【図１】本考案の実施形態１の梱包箱を示す斜視図である。
【図２】本考案の実施形態１の梱包箱の展開図である。
【図３】本考案の実施形態１の梱包箱を扉の開閉を示す斜視図である。
【図４】本考案の実施形態２の梱包箱を示す斜視図である。
【図５】本考案の実施形態２の梱包箱の展開図である。
【図６】本考案の実施形態２の梱包箱を扉の開閉を示す斜視図である。
【図７】本考案の実施形態３の梱包箱を示す斜視図である。
【図８】本考案の実施形態３の梱包箱の展開図である。
【図９】本考案の実施形態３の梱包箱を扉の開閉を示す斜視図である。
【符号の説明】
【００４８】
１、３０、６０                    梱包箱
２、３、３２、３３、６２、６３    壁面
４、３４、６４                    内側用フラップ
５、３５、６５                    外側用フラップ
８                                切欠溝
３８                              指挿入用の穴
６８                              把持部
１０、４０、７０                  扉
【図１】
0003148522.tif 000003
【図２】
0003148522.tif 000004
【図３】
0003148522.tif 000005
【図４】
0003148522.tif 000006
【図５】
0003148522.tif 000007
【図６】
0003148522.tif 000008
【図７】
0003148522.tif 000009
【図８】
0003148522.tif 000010
【図９】
0003148522.tif 000011